(57)【要約】【課題】板厚が薄くても、板厚が厚いものと同様の柄の深さを表現することができる外壁材を提供する。【解決手段】複数の凸状ブロック２を表面に設けて形成された外壁材１に関する。少なくとも一つ以上の前記凸状ブロック２が、前記外壁材１の厚さ方向の高さが異なる高段部３及び低段部４を隣接させて形成されている。前記低段部４が前記高段部３に向かって下り傾斜している。【選択図】図１
2014234641.tif 000002
【特許請求の範囲】
【請求項１】
複数の凸状ブロックを表面に設けて形成された外壁材において、少なくとも一つ以上の前記凸状ブロックが、前記外壁材の厚さ方向の高さが異なる高段部及び低段部を隣接させて形成されていると共に、前記低段部が前記高段部に向かって下り傾斜していることを特徴とする外壁材。
【請求項２】
前記低段部が横長の矩形状に形成され、前記低段部の少なくとも一つの長辺を含む二辺以上が前記高段部に隣接し、前記低段部が前記長辺で隣接する前記高段部に向かって下り傾斜していることを特徴とする請求項１に記載の外壁材。
【発明の詳細な説明】
【技術分野】
【０００１】
本発明は、外壁材に関するものである。
【背景技術】
【０００２】
従来、建築物等の外壁を施工する際に用いられる外壁材として、例えば、表面に突出した複数のブロック模様を水平方向に並設した複数個の横目地で仕切った建築板が知られている（特許文献１参照）。この特許文献１に記載の建築板にあっては、建造物外表面に規則的に張設したとき、横目地が多少上下方向にずれて施工されても、横目地の連続性に違和感が起こらないようにしている。
【０００３】
また外壁材として、基材の表面の全部又は一部に凹部及び凸部の少なくとも一方を設けて形成された外装材も知られている（特許文献２参照）。この特許文献２に記載の外装材にあっては、実際に設けられている凹部又は凸部とは視覚的にも触覚的にも異なる凹部又は凸部が設けられているように見え、施主等に意外な印象を与えることができるようにしている。
【先行技術文献】
【特許文献】
【０００４】
【特許文献１】特開２００４−１０７８７４号公報
【特許文献２】特開２０１２−２４６６１９号公報
【発明の概要】
【発明が解決しようとする課題】
【０００５】
特許文献１や特許文献２には、外壁材の板厚と外表面の凹凸模様との関係については特に記載されていない。通常、外壁材の板厚が厚い場合には、外壁材の厚さ方向において、凹凸模様の段差の高低差を大きくすることができるので、凹凸模様の柄を深く形成することができる。このような外壁材の外表面に光が当たると、段差の部分に大きな影ができるので柄の深さが強調される。
【０００６】
しかし、外壁材の板厚が薄い場合には、外壁材の厚さ方向において、凹凸模様の段差の高低差は小さくなるので、必然的に凹凸模様の柄は浅く形成されてしまう。そのため、このような外壁材に光が当たると、段差の部分には小さな影しかできず、柄の深さを強調することが困難となる。
【０００７】
本発明は上記の点に鑑みてなされたものであり、板厚が薄くても、板厚が厚いものと同様の柄の深さを表現することができる外壁材を提供することを目的とするものである。
【課題を解決するための手段】
【０００８】
本発明に係る外壁材は、複数の凸状ブロックを表面に設けて形成された外壁材において、少なくとも一つ以上の前記凸状ブロックが、前記外壁材の厚さ方向の高さが異なる高段部及び低段部を隣接させて形成されていると共に、前記低段部が前記高段部に向かって下り傾斜していることを特徴とするものである。
【０００９】
前記外壁材において、前記低段部が横長の矩形状に形成され、前記低段部の少なくとも一つの長辺を含む二辺以上が前記高段部に隣接し、前記低段部が前記長辺で隣接する前記高段部に向かって下り傾斜していることが好ましい。
【発明の効果】
【００１０】
本発明によれば、板厚が薄くても、板厚が厚いものと同様の柄の深さを表現することができる。
【図面の簡単な説明】
【００１１】
【図１】本発明の実施の形態の一例を示すものであり、（ａ）は外壁材の正面図、（ｂ）は凸状ブロックの部分の断面図である。
【図２】（ａ）は凸状ブロックの一例を示す正面図、（ｂ）は凸状ブロックの他の一例を示す正面図である。
【図３】外壁材の参考例の凸状ブロックの部分の一例を示すものであり、（ａ）は外壁材の板厚が厚い場合を示す断面図、（ｂ）は外壁材の板厚が薄い場合を示す断面図である。
【発明を実施するための形態】
【００１２】
以下、本発明の実施の形態を説明する。
【００１３】
図１（ａ）は本発明に係る外壁材１の一例を示すものである。この外壁材１は、矩形状の板状基材７の表面に複数の凸状ブロック２を設けて形成されている。この外壁材１は、例えば、主原料としてセメント、けい酸質原料、繊維質原料、混和材料等を用いて成形し、養生硬化することによって製造することができる。
【００１４】
板状基材７は、図１（ａ）に示すものでは縦長の矩形状に形成されているが、横長の矩形状に形成されていても、縦横の長さが等しい矩形状（正方形状）に形成されていてもよい。外壁材１の軽量化の観点から、板状基材７の厚さｔは、薄いほど好ましく、具体的にはｔ＝８〜２５ｍｍであることが好ましい（図１（ｂ）参照）。
【００１５】
一つの板状基材７に設けられる凸状ブロック２の個数は特に限定されない。凸状ブロック２の配置も特に限定されない。図１（ａ）に示す外壁材１においては、複数の凸状ブロック２が縦横方向に規則正しく設けられているが、不規則に設けられていてもよい。
【００１６】
各凸状ブロック２は、図１（ａ）に示す外壁材１においては、横長の矩形状に形成されているが、縦長の矩形状に形成されていてもよく、縦横の長さが等しい矩形状に形成されていてもよく、その他の形状に形成されていてもよい。
【００１７】
板状基材７の表面に設けられる複数の凸状ブロック２のうち、少なくとも一つ以上の凸状ブロック２は、高段部３及び低段部４を隣接させて、段差を有するように形成されている。図１（ａ）に示す外壁材１においては、全ての凸状ブロック２が高段部３及び低段部４を隣接させて、段差を有するように形成されている。もちろん、一部の凸状ブロック２が段差を有するように形成され、残りの凸状ブロック２が段差を有しないように形成されていてもよい。
【００１８】
高段部３及び低段部４は、外壁材１を正面から見た場合に、横長の矩形状に形成されていても、縦長の矩形状に形成されていても、縦横の長さが等しい矩形状に形成されていてもよい。高段部３及び低段部４は、外壁材１の厚さ方向の高さが異なるように形成されている。すなわち、板状基材７の表面から高段部３の表面までの高さの方が高く、板状基材７の表面から低段部４の表面までの高さの方が低い。より詳しくは図１（ｂ）に示すように、高段部３の表面は、板状基材７の表面とほぼ平行であるが、後述のように低段部４の表面は、板状基材７の表面に対して傾斜している。この場合、外壁材１の厚さ方向において、板状基材７の表面から低段部４の最も高い箇所までの距離ｙよりも、板状基材７の表面から高段部３の表面までの距離ｄの方が長い（ｄ＞ｙ）。
【００１９】
一つの凸状ブロック２において、高段部３及び低段部４を形成する場合、両者はそれぞれ少なくとも一つずつ以上形成すればよい。一つの凸状ブロック２内において、少なくとも一つ以上の高段部３と少なくとも一つ以上の低段部４とが隣接して配置されていれば、両者の相対的な位置関係は特に限定されない。一つの凸状ブロック２において、高段部３及び低段部４の個数、並びに高段部３及び低段部４の位置関係を組み合わせることによって、様々な凹凸模様を形成することができる。
【００２０】
例えば、図２（ａ）に示す凸状ブロック２は、横長の矩形状に形成された高段部３及び低段部４をそれぞれ一つずつ形成したものである。この例では、高段部３及び低段部４を上下に隣接させて配置しているが、左右に隣接させて配置してもよい。またこの例では、上方から光が当たった場合に、高段部３及び低段部４の隣接箇所に影８ができやすくするため、高段部３を上に配置し、低段部４を下に配置している。
【００２１】
ここで、図３（ａ）に示すように、外壁材１の板厚（特に板状基材７の厚さＴ）が厚い場合には、高段部３の厚さＤを厚くすることができる。そのため、高段部３の表面と低段部４の表面との段差の高低差をｘとし、低段部４の表面と板状基材７の表面との段差の高低差をｙとすると、これらの高低差ｘ及びｙをいずれも大きくすることができる。よって、図３（ａ）に示すような外壁材１の表面に光が当たると、上記の段差の部分に大きな影８、９ができ、凹凸模様の柄の深さを強調することができる。
【００２２】
しかし、外壁材１を軽量化しようとして、図３（ｂ）に示すように外壁材１の板厚（特に板状基材７の厚さｔ）をＴ＞ｔとなるように薄くすると、外壁材１の強度等の観点から、高段部３の厚さｄもＤ＞ｄとして薄くする必要性が生じる。そのため、これと同様の割合（ｄ／Ｄ倍）で、高段部３の表面と低段部４の表面との段差の高低差、及び低段部４の表面と板状基材７の表面との段差の高低差も薄くする必要性が生じる。具体的には、高段部３の表面と低段部４の表面との段差の高低差はｄｘ／Ｄとなり、低段部４の表面と板状基材７の表面との段差の高低差はｄｙ／Ｄとなる。このように、いずれの高低差も、図３（ａ）に示す場合の高低差ｘ、ｙのｄ／Ｄ倍となって小さくなる。よって、図３（ｂ）に示すような外壁材１の表面に光が当たっても、上記の段差の部分には小さな影８、９しかできず、凹凸模様の柄の深さを強調することが困難となる。
【００２３】
そこで、本発明においては、図１（ｂ）に示すように、低段部４を高段部３に向けて下り傾斜させている。図２（ａ）において下り傾斜している向きを矢印Ａで示す。この場合、外壁材１の板厚（特に板状基材７の厚さｔ）は、図３（ｂ）に示す場合と同様に、図３（ａ）に示す場合に比べて、Ｔ＞ｔとなるように薄くしている。これにより、図１（ｂ）に示す場合には、図３（ａ）に示す場合に比べて、板厚が薄いので外壁材１を軽量化することができる。
【００２４】
さらに図１（ｂ）に示す場合には、図３（ｂ）に示す場合と同様に、高段部３の厚さｄもＤ＞ｄとなって薄くなる。具体的には、例えばｄ＝２〜１０ｍｍである。
【００２５】
しかし、図１（ｂ）に示す場合においては、低段部４の下端部の厚さを最も厚くし、上端部に向けて徐々に薄くして、上端部の厚さが最も薄くなるように、低段部４を高段部３に向けて下り傾斜させている。すなわち、高段部３の表面と低段部４の上端部との段差の高低差がｘとなり、低段部４の下端部と板状基材７の表面との段差の高低差がｙとなるように、低段部４を下り傾斜させている。例えばｘ＝１〜９ｍｍであり、ｙ＝２〜１０ｍｍである。このように、低段部４の表面は、板状基材７の表面に対して平行ではなく、板状基材７の表面に対して傾斜しているが、低段部４の上端部及び下端部には、図３（ａ）に示す場合と同程度の段差の高低差ｘ、ｙを形成している。そのため、図１（ｂ）に示すような外壁材１の表面に光が当たると、上記の段差の部分に大きな影８、９ができ、凹凸模様の柄の深さを強調することができる。このように、板厚が薄くても、板厚が厚いものと同様の柄の深さを表現することができる。しかも図２（ａ）に示す場合には、低段部４が横長の矩形状に形成され、その上側の長辺５で高段部３に隣接しているので、この長辺５に沿って横方向に長い影８ができやすくなり、柄の深さをさらに強調することができる。なお、逆に高段部３を下に配置し、低段部４を上に配置してもよいが、通常、光は上方から当たるので、この場合には、低段部４及び高段部３の隣接箇所には影はできにくい。しかし、影ができにくくても、低段部４の上端部及び下端部には、高低差の大きい段差が形成されて奥行きがあるので、柄の深さは表現することができる。
【００２６】
また図２（ｂ）に示す凸状ブロック２は、高段部３を三つ、低段部４を一つ形成したものである。この例では、三つの高段部３の高さを異ならせているが、全て同じ高さでも、二つが同じ高さでもよい。以下では説明の都合上、最も高い高段部３から順に、第一高段部３１、第二高段部３２、第三高段部３３という。図２（ｂ）に示す凸状ブロック２においては、左上に第一高段部３１、左下に低段部４、右上に第三高段部３３、右下に第二高段部３２を配置している。もちろんこの配置に限定されないが、第一高段部３１を上に配置し、その下に低段部４を配置して、上方から光が当たった場合にこれらの隣接箇所に、より大きな影８ができやすいようにしている。
【００２７】
特に図２（ｂ）に示す凸状ブロック２においては、低段部４を横長の矩形状に形成している。すなわち、低段部４の上下に対向する二辺が長辺５であり、左右に対向する二辺が短辺６である。そして、低段部４は、上側の長辺５で第一高段部３１に隣接し、右側の短辺６で第二高段部３２に隣接している。これは一例であるが、好ましくは低段部４の少なくとも一つの長辺５を含む二辺以上が高段部３に隣接している。さらに低段部４が長辺５で隣接する高段部３に向かって下り傾斜していることが好ましい。具体的には図２（ｂ）に示す凸状ブロック２においては、上側の長辺５で隣接する第一高段部３１に向かって低段部４を下り傾斜させている。この向きを図２（ｂ）において矢印Ａで示す。通常、外壁材１には上方から光が当たるので、上記の場合には長辺５に沿って横方向に長い影ができやすくなり、柄の深さをさらに強調することができる。さらにこの場合、右側の短辺６で隣接する第二高段部３２に向かって低段部４を下り傾斜させてもよい。この向きを図２（ｂ）において矢印Ｂで示す。外壁材１に横方向から光が当たると、短辺６に沿って縦方向にも影ができやすくなる。
【符号の説明】
【００２８】
１  外壁材
２  凸状ブロック
３  高段部
４  低段部
５  長辺
【図１】
2014234641.tif 000003
【図２】
2014234641.tif 000004
【図３】
2014234641.tif 000005